【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
エンティティをモニターするためのデータ処理システムであって、
複数の告知であって、その多くが分散モニター対象エンティティの動作をモニターするのに用いるためのモニター方法についてのコンピュータ読取可能形式の記述を含む、複数の告知と、
前記複数の告知をクライアントに公開する分散公開エンティティであって、前記多くの告知の少なくとも１つが、分散モニター対象エンティティが自分自身の動作をモニターするために用いる前記モニター方法を決定し、前記分散モニター対象エンティティをモニターするために分散消費者エンティティが用いる前記モニター方法を決定し、及び、該分散モニター対象エンティティをモニターするためにサード・パーティ分散モニター・エンティティが用いる前記モニター方法を決定することのうちの少なくとも１つを実行するために、クライアントによって用いられる前記分散公開エンティティを含む、データ処理システム。
【請求項２】
前記クライアントが、前記分散モニター対象エンティティ、前記分散消費者エンティティ、及び前記サード・パーティ分散モニター・エンティティのうちの１つである、請求項１に記載のデータ処理システム。
【請求項３】
前記モニター方法が、前記分散モニター対象エンティティと前記クライアントとの間に存在する合意に応じて前記多くの告知内に定められた、請求項１に記載のデータ処理システム。
【請求項４】
前記分散公開エンティティが又、前記複数の告知を介して前記分散モニター対象エンティティの情報を提供し、選択された基準を満たすエンティティの検索をディレクトリを介して可能にする、請求項１に記載のデータ処理システム。
【請求項５】
前記クライアントが、前記モニター方法を実行し、該モニター方法の実行結果に応答して措置を行う、請求項１に記載のデータ処理システム。
【請求項６】
分散データ処理システムにおいてテストを行うための方法であって、
選択されたサービスに関する情報についてのクライアントからの要求に応答して、前記選択されたサービスを提供する登録済みエンティティを特定し、
前記クライアントに対して応答を送信する、
ことを含み、前記応答が、前記選択されたサービスを提供する前記登録済エンティティと該エンティティのためのモニター方法とを特定するコンピュータ読取可能形式の情報を含み、前記情報は、前記クライアントが該選択されたサービスを提供する該登録済みエンティティをモニターすることを可能にするものである方法。
【請求項７】
データ処理システムにおいてサービスの可用性をモニターするための方法であって、
情報についての要求を送信し、
情報についての前記要求に対する応答であって、前記サービスを提供するエンティティの特定と前記エンティティをどのようにモニターするかに関するコンピュータ読取可能形式の情報とを含む応答を受信し、
前記応答の受信に対応して自動的に前記エンティティをモニターする、
ことを含む方法。
【請求項８】
データ処理システムにおいてエンティティのセットのモニターを行うための方法であって、
登録された情報が、モニター方法と前記エンティティのセット内の各々のエンティティに対して提供されるサービスとを特定することを含むように、該エンティティのセットを登録し、
特定のサービスを要求するクライアントに対して、前記エンティティのセット内の前記特定のサービスを提供する選択されたエンティティをモニターするために該クライアントが用いる、該エンティティのセットについての情報を選択的に告知する、
ことを含む方法。
【請求項９】
ネットワークと、
前記ネットワークに接続された分散モニター対象エンティティと、
前記ネットワークに接続された分散消費者エンティティと、
前記ネットワークに接続された分散公開エンティティと、
を含み、前記分散モニター対象エンティティが前記分散公開エンティティに登録された特定のサービスを有し、該分散公開エンティティが、該分散モニター対象エンティティを特定する情報と、該分散モニター対象エンティティがどのように自動的にモニターされるかを特定する情報とを、前記分散消費者エンティティに提供し、該分散消費者エンティティが、前記情報を用いて該分散モニター対象エンティティをモニターするネットワーク・データ処理システム。
【請求項１０】
分散データ処理システムにおいてテストを行うためのデータ処理システムであって、
バス・システムと、
前記バス・システムに接続された通信ユニットと、
前記バス・システムに接続され、命令のセットを含むメモリと、
前記バス・システムに接続された処理ユニットと、
を備え、前記処理ユニットが、選択されたサービスに関する情報についてのクライアントからの要求に応答して、前記選択されたサービスを提供する登録済みエンティティを特定し、該選択されたサービスを提供する前記登録済エンティティと該エンティティのためのモニター方法とを特定するコンピュータ読取可能形式の情報を含む応答を前記クライアントに対して送信する、命令の前記セットを実行し、前記情報は、該クライアントが該選択されたサービスを提供する該登録済みエンティティをモニターすることを可能にするものであるデータ処理システム。
【請求項１１】
サービスの可用性をモニターするためのデータ処理システムであって、
バス・システムと、
前記バス・システムに接続された通信ユニットと、
前記バス・システムに接続され、命令のセットを含むメモリと、
前記バス・システムに接続された処理ユニットと、
を備え、前記処理ユニットが、情報についての要求を送信し、情報についての前記要求に対する応答であって、前記サービスを提供するエンティティの特定と前記エンティティをどのようにモニターするかに関するコンピュータ読取可能形式の情報とを含む応答を受信し、前記応答の受信に対応して自動的に前記エンティティをモニターする、命令の前記セットを実行するデータ処理システム。
【請求項１２】
エンティティのセットのモニターを行うためのデータ処理システムであって、
バス・システムと、
前記バス・システムに接続された通信ユニットと、
前記バス・システムに接続され、命令のセットを含むメモリと、
前記バス・システムに接続された処理ユニットと、
を備え、前記処理ユニットが、登録された情報がモニター方法と前記エンティティのセット内の各々のエンティティに対して提供されるサービスとの特定を含むように、該エンティティのセットを登録し、特定のサービスを要求するクライアントに対して、該エンティティのセット内の前記特定のサービスを提供する選択されたエンティティをモニターするために該クライアントが用いる、該エンティティのセットについての情報を選択的に告知する、命令のセットを実行するデータ処理システム。
【請求項１３】
分散データ処理システムにおいてテストを行うためのデータ処理システムであって、
選択されたサービスに関する情報についてのクライアントからの要求に応答して、前記選択されたサービスを提供する登録済みエンティティを特定するための特定手段と、
前記クライアントに対して応答を送信するための送信手段と、
を備え、前記応答が、前記選択されたサービスを提供する前記登録済エンティティと該エンティティのためのモニター方法とを特定するコンピュータ読取可能形式の情報を含み、前記情報は、前記クライアントが該選択されたサービスを提供する該登録済みエンティティをモニターすることを可能にするものであるデータ処理システム。
【請求項１４】
サービスの可用性をモニターするためのデータ処理システムであって、
情報についての要求を送信するための送信手段と、
情報についての前記要求に対する応答であって、前記サービスを提供するエンティティの特定と前記エンティティをどのようにモニターするかに関するコンピュータ読取可能形式の情報とを含む応答を受信するための受信手段と、
前記応答の受信に対応して自動的に前記エンティティをモニターするためのモニター手段と、
を備えるデータ処理システム。
【請求項１５】
エンティティのセットのモニターを行うためのデータ処理システムであって、
登録された情報が、モニター方法と前記エンティティのセット内の各々のエンティティに対して提供されるサービスとを特定することを含むように、該エンティティのセットを登録するための登録手段と、
特定のサービスを要求するクライアントに対して、前記エンティティのセット内の前記特定のサービスを提供する選択されたエンティティをモニターするために該クライアントが用いる、該エンティティのセットについての情報を選択的に告知するための告知手段と、
を備えるデータ処理システム。
【請求項１６】
エンティティをモニターするための、コンピュータ読取可能媒体内のコンピュータ・プログラムであって、
複数の告知であって、その多くが分散モニター対象エンティティの動作をモニターするのに用いるためのモニター方法についてのコンピュータ読取可能形式の記述を含む、複数の告知を特定するための第１の命令と、
前記複数の告知をクライアントに公開するための第２の命令と、
を含み、前記多くの告知の少なくとも１つが、分散モニター対象エンティティが自分自身の動作をモニターするために用いる前記モニター方法を決定し、前記分散モニター対象エンティティをモニターするために分散消費者エンティティが用いる前記モニター方法を決定し、及び、該分散モニター対象エンティティをモニターするためにサード・パーティ分散モニター・エンティティが用いる前記モニター方法を決定することのうちの少なくとも１つを実行するために、クライアントによって用いられるようになったデータ処理システム。
【請求項１７】
分散データ処理システムにおいてテストを行うための、コンピュータ読取可能媒体内のコンピュータ・プログラムであって、
選択されたサービスに関する情報についてのクライアントからの要求に応答して、前記選択されたサービスを提供する登録済みエンティティを特定するための第１の命令と、
前記クライアントに対して応答を送信するための第２の命令と、
を含み、前記応答が、前記選択されたサービスを提供する前記登録済エンティティと該エンティティのためのモニター方法とを特定するコンピュータ読取可能形式の情報を含み、前記情報は、前記クライアントが該選択されたサービスを提供する該登録済みエンティティをモニターすることを可能にするものであるコンピュータ・プログラム。
【請求項１８】
サービスの可用性をモニターするための、コンピュータ読取可能媒体内のコンピュータ・プログラムであって、
情報についての要求を送信するための第１の命令と、
情報についての前記要求に対する応答であって、前記サービスを提供するエンティティの特定と前記エンティティをどのようにモニターするかに関するコンピュータ読取可能形式の情報とを含む応答を受信するための第２の命令と、
前記応答の受信に対応して自動的に前記エンティティをモニターするための第３の命令と、
を含むコンピュータ・プログラム。
【請求項１９】
エンティティのセットのモニターを行うための、コンピュータ読取可能媒体内のコンピュータ・プログラムであって、
登録された情報が、モニター方法と前記エンティティのセット内の各々のエンティティに対して提供されるサービスとを特定することを含むように、該エンティティのセットを登録するための第１の命令と、
特定のサービスを要求するクライアントに対して、前記エンティティのセット内の前記特定のサービスを提供する選択されたエンティティをモニターするために該クライアントが用いる、該エンティティのセットについての情報を選択的に告知するための第２の命令と、
を含むコンピュータ・プログラム。